(57)【要約】【課題】通信装置の中継に用いられる配線盤の配線作業を効率よく行えるようにする。【解決手段】配線盤５０に、複数の第１端子１１２を有する第１端子面１１１と夫々対応する第１端子１１２と導通される複数の第２端子１１３を有する第２端子面１１３とを有する複数の端子ユニット１１０と、複数の第３端子１２２を有する第３端子面１２１と夫々対応する第３端子１２２と導通される複数の第４端子１２５を有する第４端子面１２４とを有する端子板１２０とを、これらが対向するように筐体１３０に設け、端子ユニット１１０を筐体に脱着可能に設け、第２端子１１３と第３端子１２２とをジャンパ線１５０を介して接続し、異なる端子ユニット１１０を跨いで、端子ユニット１１０の夫々の対応する第１端子１１２同士を導通させる配線構造を有する中継部材１６０を、第１端子１１２に脱着可能に設ける。【選択図】図１
2013157275.tif 000002
【特許請求の範囲】
【請求項１】
複数の第１端子を有する第１端子面と、夫々対応する前記第１端子と導通される複数の第２端子を有する第２端子面と、を有する複数の端子ユニットと、
複数の第３端子を有する第３端子面と、夫々対応する前記第３端子と導通される複数の第４端子を有する第４端子面と、を有する端子板と、
前記第２端子面と前記第３端子面とが対向するように、前記端子ユニット及び前記端子板が設けられる筐体と
を備え、
前記端子ユニットが前記筐体に脱着可能に設けられ、
前記第２端子と前記第３端子とがジャンパ線を介して接続され、
異なる前記端子ユニットを跨いで、前記端子ユニットの夫々の前記第１端子同士を導通させる配線構造を有する中継部材が、前記端子ユニットに脱着可能に設けられている
配線盤。
【請求項２】
請求項１に記載の配線盤であって、
前記端子板の前記第４端子にその他端が通信装置に接続する通信線が接続され、
前記端子ユニットの前記第２端子の夫々に、前記通信装置の規格に従って前記ジャンパ線が接続されている
ことを特徴とする配線盤。
【請求項３】
配線盤の配線方法であって、配線盤に、
複数の第１端子を有する第１端子面と、夫々対応する前記第１端子と導通される複数の第２端子を有する第２端子面と、を有する複数の端子ユニットと、
複数の第３端子を有する第３端子面と、夫々対応する前記第３端子と導通される複数の第４端子を有する第４端子面と、を有する端子板と、
前記第２端子面と前記第３端子面とが対向するように、前記端子ユニット及び前記端子板が設けられる筐体と、を設け、
前記端子ユニットを前記筐体に脱着可能に設け、
前記第２端子と前記第３端子とをジャンパ線を介して接続し、
異なる前記端子ユニットを跨いで、前記端子ユニットの夫々の前記第１端子同士を導通させる配線構造を有する中継部材を、前記端子ユニットに脱着可能に設ける
ことを特徴とする配線盤の配線方法。
【請求項４】
請求項３に記載の配線盤の配線方法であって、
前記端子板の前記第４端子にその他端が通信装置に接続する通信線を接続し、
前記端子ユニットの前記第２端子の夫々に、前記通信装置の規格に従って前記ジャンパ線を接続する
ことを特徴とする配線盤の配線方法。
【発明の詳細な説明】
【技術分野】
【０００１】
この発明は、配線盤、及び配線盤の配線方法に関し、とくに配線盤の配線作業を効率よく行えるようにするための技術に関する。
【背景技術】
【０００２】
特許文献１には、装置側端子と、ジャンパ側端子と、この両端子間を結合する着脱自在なモニタ端子を有するＵリンクプラグと、を備えた信号用端子板において、装置側端子およびジャンパ側端子を、それぞれＵリンクプラグの背面に配置しそれぞれケーブル先端に取付けられたプラグに対応するレセプタクルとすることが記載されている。
【０００３】
特許文献２には、通信用中間配線盤の裏面の端子が挿入される端子穴をハウジング表面に形成し、信号線が接続された導電部材を端子穴の内面底部に設け、固定ネジが螺合されるネジ穴をハウジングの裏面に端子穴と隣接して形成し、このネジ穴を端子押え部材が取り付けられた連通部を介して端子穴と連通させ、作業者が固定ネジをネジ穴に螺合していくと、端子押え部材が固定ネジに押圧されてその先端が連通部から端子穴に突出し、端子穴に挿入された通信用中間配線盤の裏面の端子に食い込むようにしたワンタッチ接続コネクタが記載されている。
【先行技術文献】
【特許文献】
【０００４】
【特許文献１】登録実用新案第３０５３３７８号公報
【特許文献２】特開２００８−１７１６６４号公報
【発明の概要】
【発明が解決しようとする課題】
【０００５】
図９に電話機や伝送装置などの通信装置６０の中継に用いられる配線盤５０の一例を示している。同図に示すように、配線盤５０の端子板５２（１）の一つには、その他端が第１通信装置６０に接続する通信線７０（１）が接続している。また、配線盤５０の他の端子板５２（２）には、その他端が第２通信装置６０に接続する通信線７０（２）が接続している。
【０００６】
端子板５２（１）の一方の面５３（１）には複数の端子５４（１）が、他方の面５５（１）には複数の端子５６（１）が、夫々、縦横に整列して設けられている。尚、一方の面５３（１）の各端子５４（１）は、夫々対応する位置に設けられている他方の面５５（１）の端子５６（１）と導通している。
【０００７】
また端子板５２（２）の一方の面５３（２）には複数の端子５４（２）が、他方の面５５（２）には複数の端子５６（２）が、夫々、縦横に整列して設けられている。尚、一方の面５３（２）の各端子５４（２）は、夫々対応する位置に設けられている他方の面５５（２）の端子５６（２）と導通している。
【０００８】
さらに端子板５２（１）の、通信線７０（１）が接続されている端子５６（１）に導通する端子５４（１）と、端子板５２（２）の、通信線７０（２）が接続されている端子５６（２）に導通する端子５４（２）とが、ジャンパ線８０によって接続（導通）されている。
【０００９】
ここでこのような構成を基本とする配線盤５０が例えば収容可能な回線数の多い大容量のものである場合、配線盤５０の筐体内部に多数のジャンパ線８０が張り巡らされることとなり、端子板５２の周囲にジャンパ線８０が入り乱れ、作業員等は端子５４，５６同士の接続関係を把握することが困難となり、回線の構成や廃止等に伴うジャンパ線８０の結線や撤去に多大な労力と時間を要することとなる。またジャンパ線８０の端子５４，５６への取り付けに際しては、ラッピングツール等を用いてジャンパ線８０を一本ずつ端子５４，５６に巻き付けていく必要があり、回線構成時には作業員等は多大な作業負担を強いられる。
【００１０】
また広帯域伝送装置等の通信装置の回線の構成変更に際しては、通信装置の通信規格や電源規格等に従い多数のジャンパ線８０を一度に配線する必要があるが、既設のジャンパ線８０の接続状態が煩雑であると、端子板５２から既設のジャンパ線８０を撤去した後、全てのジャンパ線８０の配線をはじめからやり直す必要がある。
【００１１】
本発明はこのような背景に鑑みてなされたもので、配線盤の配線作業を効率よく行えるよにすることが可能な配線盤、及び配線盤の配線方法を提供することを目的とする。  
【課題を解決するための手段】
【００１２】
上記目的を達成するための本発明の一つは、配線盤であって、複数の第１端子を有する第１端子面と、夫々対応する前記第１端子と導通される複数の第２端子を有する第２端子面と、を有する複数の端子ユニットと、複数の第３端子を有する第３端子面と、夫々対応する前記第３端子と導通される複数の第４端子を有する第４端子面と、を有する端子板と、前記第２端子面と前記第３端子面とが対向するように、前記端子ユニット及び前記端子板が設けられる筐体とを備え、前記端子ユニットが前記筐体に脱着可能に設けられ、前記第２端子と前記第３端子とがジャンパ線を介して接続され、異なる前記端子ユニットを跨いで、前記端子ユニットの夫々の前記第１端子同士を導通させる配線構造を有する中継部材が、前記端子ユニットに脱着可能に設けられていることとする。
【００１３】
本発明によれば、第２端子面の第２端子にジャンパ線が接続された端子ユニットが筐体に脱着可能に設けられているので、ジャンパ線の接続状態を維持したまま端子ユニットを移動させることができる。このため、例えば、２つの端子ユニットを隣接させるように移動させ、夫々の端子ユニットの第１端子面に、これら端子ユニットを跨ぐように中継部材を取り付けて夫々の第１端子間を導通させることで、既設のジャンパ線の接続状態を利用して回線の変更等の作業を容易に行うことができる。
【００１４】
本発明の他の一つは、上記配線盤であって前記端子板の前記第４端子にその他端が通信装置に接続する通信線が接続され、前記端子ユニットの前記第２端子の夫々に、前記通信装置の規格に従って前記ジャンパ線が接続されていることとする。
【００１５】
本発明によれば、例えば、通信装置の回線の構成変更に際し、既設の通信装置のジャンパ線が接続されている端子ユニットを筐体の適切な位置に移動させて２つの端子ユニットを隣接させ、夫々の端子ユニットの第１端子に、これらを跨ぐように中継部材を取り付けることにより夫々の第１端子間を導通させることで、通信装置についての既設のジャンパ線の接続状態を利用して回線の変更等の作業を容易に行うことができる。
【発明の効果】
【００１６】
本発明によれば、配線作業を効率よく行うことができる。
【図面の簡単な説明】
【００１７】
【図１】配線盤５０の概略的な構成を説明する図である。
【図２】中継部材１６０の一例を説明する図である。
【図３】中継部材１６０の一例を説明する図である。
【図４】中継部材１６０の一例を説明する図である。
【図５】中継部材１６０の一例を説明する図である。
【図６】中継部材１６０の一例を説明する図である。
【図７】中継部材１６０の一例を説明する図である。
【図８】通信ネットワーク１の一例を説明する図である。
【図９】配線盤５０の構成を説明する図である。
【発明を実施するための形態】
【００１８】
以下、実施形態について図面とともに説明する。
【００１９】
図１に実施形態として説明する配線盤５０の構成を示している。配線盤５０は、例えば、中間配線盤（IDF: Intermediate Distribution Frame）であり、集合住宅、ビルなどに設置される。
【００２０】
同図に示すように、配線盤５０の筐体１３０（同図には全体が略直方体状を呈する筐体１３０の一部のみを示している。）には、平板状の端子板１２０と、端子板１２０の平面と平行に設けられ、その長手方向が水平方向に延出する、略直方体状の複数の端子ユニット１１０とが設けられ、端子板１２０と複数の端子ユニット１１０によって層構造（二層構造）が形成されている。
【００２１】
端子板１２０の、端子ユニット１１０の側の側面（以下、第３端子面１２１と称する。）には、複数の端子１２２が縦横にマトリクス状に整列して設けられている。また端子板１２０の、第３端子面１２１と対向する他方の側面（以下、第４端子面１２４と称する。）には、複数の端子１２５が縦横にマトリクス状に整列して設けられている。尚、これらの端子１２５は、夫々、対応する端子１２２と端子板１２０の内部で導通している。
【００２２】
各端子ユニット１１０の、端子板１２０の側の側面（以下、第２端子面１１３と称する。）には、水平方向に並ぶ複数の端子（以下、第２端子１１４と称する。）が設けられている。また、各端子ユニット１１０の、第２端子面１１３と対向する他方の側面（以下、第１端子面１１１と称する。）には、水平方向に並ぶ複数の端子（以下、第１端子１１２と称する。）が設けられている。尚、各端子ユニット１１０の第１端子１１２の夫々は、対応する第２端子１１４と端子ユニット１１０の内部で導通している。
【００２３】
各端子ユニット１１０の第１端子面１１１は、例えば、配線盤５０の筐体１３０の前面側に露出するように設けられる。また端子板１２０の第４端子面１２４は、例えば、配線盤５０の筐体１３０の背面側に露出するように設けられる。
【００２４】
各端子ユニット１１０は、夫々の端面１１７に設けられた棒状の係止部材１１５の夫々を、筐体１３０の所定位置に設けられた受部１３１に係止させることにより、配線盤５０の筐体１３０に着脱自在に設けられている。尚、図１の例では、筐体１３０内に設けられた支柱の所定高さ位置に複数の受部１３１を設けている。
【００２５】
端子板１２０の第３端子面１２１と各端子ユニット１１０の第２端子面１１３との間には、端子板１２０の第３端子面１２１の第３端子１２２と、端子ユニット１１０の第２端子面１１３の第２端子１１４とを接続（導通）する、一つ以上のジャンパ線１５０（ラッピングワイヤ等）が設けられている。端子ユニット１１０の第２端子１１４の夫々には、通信装置６０の通信規格や電源規格等の規格に従ってジャンパ線１５０が接続される。
【００２６】
端子板１２０の第４端子面１２４の各端子１２５には、その他端が電話機や伝送装置などの通信装置６０に接続する通信線７０が接続される。
【００２７】
図１においては、その他端が第１通信装置６０に接続する通信線７０（１）が、端子板１２０の第４端子面１２４の一群の第４端子１２５（１）に接続し、一群の第４端子１２５（１）の夫々に対応する一群の第３端子１２２（１）の夫々に、ジャンパ線１５０（１）の一端が接続し、各ジャンパ線１５０（１）の他端が夫々、端子ユニット１１０（１）の一群の第２端子１１４（１）に接続している。
【００２８】
またその他端が他の第２通信装置６０に接続する通信線７０（２）が、端子板１２０の第４端子面１２４の一群の第４端子１２５（２）に接続し、一群の第４端子１２５（２）の夫々に対応する一群の第３端子１２２（２）の夫々にジャンパ線１５０（２）の一端が接続し、各ジャンパ線１５０（２）の他端が夫々、端子ユニット１１０（２）の一群の第２端子１１４（２）に接続している。
【００２９】
そしてジャンパ線１５０（１）の夫々が接続している一群の第２端子１１４（１）に対応する端子ユニット１１０（１）の一群の第１端子１１２（１）と、ジャンパ線１５０（２）の夫々が接続している一群の第２端子１１４（２）に対応する端子ユニット１１０（２）の一群の第１端子１１２（２）とが、これらに脱着可能に設けられた中継部材１６０を介して結線されている。
【００３０】
図２に電話回線等の中継に用いる中継部材１６０の一例を示す。同図に示すように、この中継部材１６０は、対向する２つの平面１６６，１６７を有する略直方体形状を呈している。中継部材１６０の一方の平面１６７には、第１端子１１２と同ピッチで一列に設けられ、夫々、第１端子１１２に嵌合される形状からなる複数の第１ソケット１６１ａ〜ｆと、これら６つの第１ソケット１６１ａ〜ｆの列と平行に第１端子１１２と同ピッチで一列に設けられ、夫々、第１端子１１２に嵌合される形状からなる６つの第２ソケット１６２ａ〜ｆと、を備える。第１ソケット１６１ａ〜ｆの夫々は、対応する第２ソケット１６２ａ〜ｆと中継部材１６０の内部で導通されている。
【００３１】
この例では、第１ソケット１６１ａは第２ソケット１６２ｃと、第１ソケット１６１ｂは第２ソケット１６２ｄと、第１ソケット１６１ｃは第２ソケット１６２ａと、第１ソケット１６１ｄは第２ソケット１６２ｂと、第１ソケット１６１ｅは第２ソケット１６２ｆと、第１ソケット１６１ｆは第２ソケット１６２ｅと、夫々結線されている。
【００３２】
図３は中継部材１６０の他の一例として示す、電話回線等の中継に用いる中継部材１６０である。同図に示すように、図２の中継部材１６０と同様、中継部材１６０の一方の平面１６７には、６つの第１ソケット１６１ａ〜ｆと６つの第２ソケット１６２ａ〜ｆが平行に設けられている。
【００３３】
この例では、第１ソケット１６１ａは第２ソケット１６２ａと、第１ソケット１６１ｂは第２ソケット１６２ｂと、第１ソケット１６１ｃは第２ソケット１６２ｃと、第１ソケット１６１ｄは第２ソケット１６２ｄと、第１ソケット１６１ｅは第２ソケット１６２ｅと、第１ソケット１６１ｆは第２ソケット１６２ｆと、夫々結線されている。
【００３４】
図４は中継部材１６０の他の一例として示す、データ回線等の中継に用いる中継部材１６０である。同図に示すように、中継部材１６０の一方の平面１６７には、４つの第１ソケット１６１ａ〜ｄと、第１ソケット１６１ａ〜ｄの列と平行に設けられた４つの第２ソケット１６２ａ〜ｄとが整列されている。第１ソケット１６１ａ〜ｄの夫々は、対応する第２ソケット１６２ａ〜ｄと中継部材１６０の内部で導通されている。
【００３５】
この例では、第１ソケット１６１ａは第２ソケット１６２ｃと、第１ソケット１６１ｂは第２ソケット１６２ｄと、第１ソケット１６１ｃは第２ソケット１６２ａと、第１ソケット１６１ｄは第２ソケット１６２ｂと、夫々結線されている。
【００３６】
図５は中継部材１６０の他の一例として示す、データ回線等の中継に用いる中継部材１６０である。同図に示すように、中継部材１６０の一方の平面１６７には、図４の中継部材１６０と同様、４つの第１ソケット１６１ａ〜ｄと、４つの第２ソケット１６２ａ〜ｄとが整列されている。
【００３７】
この例では、第１ソケット１６１ａは第２ソケット１６２ａと、第１ソケット１６１ｂは第２ソケット１６２ｂと、第１ソケット１６１ｃは第２ソケット１６２ｃと、第１ソケット１６１ｄは第２ソケット１６２ｄと、夫々結線されている。
【００３８】
図６は中継部材１６０の他の一例として示す、警報回線（ＡＬＭ）等の中継に用いる中継部材１６０である。同図に示すように、中継部材１６０の一方の平面１６７には、２つの第１ソケット１６１ａ、ｂと、第１ソケット１６１ａ、ｂの列と平行に設けられた２つの第２ソケット１６２ａ、ｂとが整列されている。第１ソケット１６１ａ、ｂの夫々は、対応する第２ソケット１６２ａ、ｂと中継部材１６０の内部で導通されている。この例では、第１ソケット１６１ａは第２ソケット１６２ｂと、第１ソケット１６１ｂは第２ソケット１６２ａとが、夫々結線されている。
【００３９】
図７は中継部材１６０の他の一例として示す、警報端末の中継（例えば電話回線の中継）に用いる中継部材１６０である。同図に示すように、中継部材１６０の一方の平面１６７には、図６の中継部材１６０と同様、２つの第１ソケット１６１ａ、ｂと、第１ソケット１６１ａ、ｂの列と平行に設けられた２つの第２ソケット１６２ａ、ｂとが整列されている。この例では、第１ソケット１６１ａは第２ソケット１６２ａと、第１ソケット１６１ｂは第２ソケット１６２ｂと、夫々結線されている。
【００４０】
以上、図２乃至図７に示したように、中継部材１６０としては、通信装置６０の通信規格や電源規格等の規格に従って適切なタイプのものが用いられる。
【００４１】
以上に説明したように、本実施形態の配線盤５０は、複数の第２端子１１４を有する複数の端子ユニット１１０と、複数の第３端子１２２を有する端子板１２０とを設け、第２端子１１４と第３端子１２２とをジャンパ線１５０を介して接続し、端子ユニット１１０を筐体１３０の受部１３１に脱着可能に設けるようにしているので、作業員等は筐体１３０の前面側においてジャンパ線１５０の接続状態を維持したまま端子ユニット１１０を移動させることができる。このため、例えば、２つの端子ユニット１１０を隣接させるように移動させ、夫々の端子ユニット１１０の第１端子面１１１に、これら端子ユニット１１０を跨ぐように中継部材１６０を取り付けて夫々の対応する第１端子１１２同士を導通させることで、既設のジャンパ線１５０の接続状態を利用して回線の変更等の作業を容易に行うことができる。
【００４２】
また本実施形態の配線盤５０は、端子板１２０の第４端子１２５にその他端が通信装置６０に接続する通信線７０が接続され、端子ユニット１１０の第２端子１１４の夫々に、通信装置６０の通信規格や電源規格等の規格に従ってジャンパ線１５０が接続されるので、例えば、通信装置６０の回線の構成変更に際し、既設の通信装置６０のジャンパ線が接続されている端子ユニット１１０を筐体１３０の受部１３１の適切な位置に移動させて２つの端子ユニット１１０を隣接させ、夫々の端子ユニット１１０の第１端子面１１１の第１端子１１２に、これらを跨ぐように中継部材１６０を取り付けて夫々の対応する第１端子１１２同士を導通させることで、通信装置６０についての既設のジャンパ線１５０の接続状態を利用して回線の変更等の作業を容易かつ正確に行うことができる。
【００４３】
このため、例えば、広帯域伝送装置の回線構成の変更や１．５Ｍ多重化装置（２４チャンネル）の回線の更新に際しては、作業者等はジャンパ線１５０を撤去したりはじめから配線をし直したりする必要がなく、容易に作業を進めることができる。またジャンパ線１５０を撤去する必要がないため、例えば、ジャンパ線１５０にストレスが加わることによるラッピング部分の心線の外れや、金属疲労によるジャンパ線１５０の断心を防ぐことができる。
【００４４】
また作業者等は、端子ユニット１１０と端子板１２０との間のジャンパ線１５０の状態を、端子ユニット１１０間の隙間から容易に視認することができるので、端子ユニット１１０の移動に際しジャンパ線１５０が混雑しないように端子ユニット１１０を位置決めすることができ、ジャンパ線１５０の錯綜や絡みを防ぐことができる。また配線盤５０の周辺の美観も向上する。また中継部材１６０を用いずに回線を構成することもできるが、この場合は接続状態を維持したまま端子ユニット１１０の位置を無瞬断で移動させることができる。
【００４５】
また以上の結果、回線の構成作業が簡素化され作業負荷が軽減されることから、誤接続（誤短絡）や誤切断等のヒューマンエラーを防ぐことができる。
【００４６】
尚、端子ユニット１１０を、例えば、配線盤５０の筐体１３０の前面側に露出するように設けることで、配線盤５０の前面側での作業や確認を簡便に行うことができ、回線構成時の作業効率を向上することができる。またこの場合、図２乃至図７に例示するような規格化された中継部材１６０を用いて、筐体１３０の前面側において容易かつ正確に回線の構成作業を行うことができる。
【００４７】
＜適用例＞
以上に説明した本実施形態の配線盤５０の適用例を示す。図８は本実施形態の配線盤５０が設けられた通信ネットワーク１の一例である。同図に示すように、この通信ネットワーク１は４つのサブネットワーク１０Ａ〜１０Ｄを含む。
【００４８】
このうちサブネットワーク１０Ａには、電話機などの通信端末３００Ａと、サブネットワーク１０Ｂと通信する伝送装置２００Ａとが設けられている。同図に示すように、本実施形態の配線盤５０は、例えば、通信端末３００Ａと伝送装置２００Ａとの間の中継に用いられる。
【００４９】
またサブネットワーク１０Ｃには、通信端末３００Ｃと、サブネットワーク１０Ｂと通信する伝送装置２００Ｃとが設けられている。配線盤５０は、例えば、通信端末３００Ｃと伝送装置２００Ｃとの中継に用いられる。
【００５０】
またサブネットワーク１０Ｄには、通信端末３００Ｄと、サブネットワーク１０Ｂと通信する伝送装置２００Ｄとが設けられている。配線盤５０は、例えば、通信端末３００Ｄと伝送装置２００Ｄとの間を中継する。
【００５１】
またサブネットワーク１０Ｂには、伝送装置２００Ａと通信する伝送装置２００Ｂ１と、伝送装置２００Ｃと通信する伝送装置２００Ｂ２と、伝送装置２００Ｄと通信する伝送装置２００Ｂ３とが設けられている。配線盤５０は、例えば、伝送装置２００Ｂ１、伝送装置２００Ｂ２、及び伝送装置２００Ｂ３の間を中継する。
【００５２】
ところで、以上に説明した実施の形態は、本発明の理解を容易にするためのものであり、本発明を限定するものではない。本発明は、その趣旨を逸脱することなく、変更、改良され得ると共に、本発明にはその等価物が含まれることは勿論である。
【００５３】
例えば、ジャンパ線１５０としては、ラッピングワイヤを用いることができるほか、配線の簡素化等を目的として、例えば、複数の心線を束ねたケーブルを用いることもできる。
【符号の説明】
【００５４】
５０  配線盤
６０  通信装置
７０  通信線
１１０  端子ユニット
１１１  第１端子面
１１２  第１端子
１１３  第２端子面
１１４  第２端子
１２０  端子板
１２１  第３端子面
１２２  第３端子
１２４  第４端子面
１２５  第４端子
１５０  ジャンパ線
１６０  中継部材
【図１】
2013157275.tif 000003
【図２】
2013157275.tif 000004
【図３】
2013157275.tif 000005
【図４】
2013157275.tif 000006
【図５】
2013157275.tif 000007
【図６】
2013157275.tif 000008
【図７】
2013157275.tif 000009
【図８】
2013157275.tif 000010
【図９】
2013157275.tif 000011